(57)【要約】【課題】車両に乗って、記録媒体をレンタル業者に返却しに行く場合に、レンタル業者の店舗に到達したとき、返却すべき記録媒体を車両上の再生装置内に置き忘れたまま降車して、レンタル業者の店舗に向かうという不都合を極力回避する。【解決手段】車両搭載用の記録媒体再生装置において、車両が所定の停車状態にあることを検出する手段８、９と、所定の種類の記録媒体に記録されている情報を再生する手段１０と、前記のような記録媒体のレンタルを業務とする業者の登録されている店舗に対し車両が所定の近傍位置に位置するか否かを判定する手段１、７、１１と、車両が前記停車状態にあり、かつ前記近傍位置に位置しているとき、前記再生手段における記録媒体に関連した所定の動作を行う手段４、５、１０、１１とを設ける。【選択図】図１
2006168557.tif 000002
【特許請求の範囲】
【請求項１】
車両が所定の停車又は駐車状態にあることを検出する手段と、
所定の種類の記録媒体に記録されている情報を再生する手段と、
前記のような記録媒体のレンタルを業務とする業者の登録されている店舗に対し車両が所定の近傍位置に位置するか否かを判定する手段と、
車両が前記停車又は駐車状態にあり、かつ前記近傍位置に位置しているとき、前記再生手段における記録媒体に関連した所定の動作を行う手段とを具備することを特徴とする車両搭載用の記録媒体再生装置。
【請求項２】
前記所定の停車又は駐車状態は、車両の速度がゼロの状態であることを特徴とする請求項１に記載の記録媒体再生装置。
【請求項３】
前記所定の停車又は駐車状態は、イグニッションスイッチがＡＣＣオフ位置にある状態であることを特徴とする請求項１又は２に記載の記録媒体再生装置。
【請求項４】
前記所定の停車又は駐車状態は、パーキングブレーキが有効に作用している状態であることを特徴とする請求項１〜３のいずれか１項に記載の記録媒体再生装置。
【請求項５】
前記所定の停車又は駐車状態は、シフトレバーがパーキング位置にある状態であることを特徴とする請求項１〜４のいずれか１項に記載の記録媒体再生装置。
【請求項６】
前記所定の動作は、装置が前記記録媒体を保持している場合にのみ行うことを特徴とする請求項１〜５のいずれか１項に記載の記録媒体再生装置。
【請求項７】
前記所定の動作は、装置によって保持されている記録媒体をイジェクトする動作であることを特徴とする請求項１〜６のいずれか１項に記載の記録媒体再生装置。
【請求項８】
前記所定の動作は、装置によって保持されている記録媒体が存在する旨又は存在しない旨を音声又は表示により知らせる動作であることを特徴とする請求項１〜７のいずれか１項に記載の記録媒体再生装置。
【請求項９】
前記店舗に関するその所在位置を含む情報を装置に登録する手段を有することを特徴とする請求項１〜８のいずれか１項に記載の記録媒体再生装置。
【請求項１０】
車両に搭載されたコンピュータを、
車両が所定の停車又は駐車状態にあることを検出する手段の出力に基づき、車両が該停車又は駐車状態にあるか否かを判定する手段、
車両に搭載された所定の種類の記録媒体に記録されている情報の再生手段を制御する手段、
前記のような記録媒体のレンタルを業務とする業者の登録されている店舗に対し車両が所定の近傍位置に位置するか否かを、車両の現在位置を取得する手段の出力、及び所定の登録情報に基づいて判定する手段、及び
車両が前記停車又は駐車状態にあり、かつ前記近傍位置に位置していると判定したとき、前記再生手段における記録媒体に関連した所定の出力を行う手段として機能させることを特徴とするプログラム。
【請求項１１】
車両が所定の停車又は駐車状態にあることを検出する手段が該検出を行う工程と、
車両に搭載されている所定の記録媒体に記録されている情報の再生手段を制御する工程と、
前記のような記録媒体のレンタルを業務とする登録されている店舗に対し車両が所定の近傍位置に位置するか否かを判定する手段が該判定を行う工程と、
車両が前記停車又は駐車状態にあり、かつ前記近傍位置に位置しているとき、前記再生手段における記録媒体に関連した所定の動作を行う手段が該動作を行う工程とを具備することを特徴とする記録媒体再生方法。
【発明の詳細な説明】
【技術分野】
【０００１】
本発明は、車両搭載用の記録媒体再生装置、プログラム、及び記録媒体再生方法に関する。
【背景技術】
【０００２】
近年、音楽ＣＤやＤＶＤをレンタルビデオ店で借り受け、自宅のディスク再生装置や車両に搭載されたディスク再生装置で再生し、視聴することがよく行われるようになっている。このような状況下において、借りているＣＤ等を、車載のディスク再生装置で再生して聴取しながら、車両をレンタルビデオ店まで運転し、返却しに行く場合も多い。
【０００３】
この場合、レンタルビデオ店に到着し、降車して店内に入り、ＣＤを返却しようとしたときに、ＣＤケースの中身が空で、そのＣＤが未だディスク再生装置に装着したままであることに気付くということがあり得る。そうすると、再度、車に戻ってキーを挿入し、イグニッションスイッチをＡＣＣオン位置に切り替えて、ディスク再生装置の電源をオン状態とし、イジェクトボタンを押下して、ディスクを排出させ、そのディスクを所持して再度店内に戻るという、余分な作業を要することになる。
【０００４】
なお、これに類似した不都合を防止するための技術として、車両の状態を検出する手段及びＩＣカード装着の有無を検出する手段を設け、車両の駆動停止等の後、決済用のＩＣカードが車両のＩＴＳ（高度交通システム）用車載装置に挿入されたまま、所定時間が経過すると、その旨を検出し、報知するようにした技術が開示されている（たとえば特許文献１参照）。
【０００５】
また、関連技術として、イグニッションスイッチがオフ位置に切り替えられたとき、電力の供給を強制的に遮断するとともに、不使用時にはディスプレイが筐体内に収納されるようになっているインダッシュタイプのナビゲーション装置において、イグニッションスイッチがオフにされたときから電力供給の強制的遮断までに所定の遅延期間を設けることにより、電力供給の強制的遮断によりディスプレイが筐体内に未収納となったままとされるのを防止するようにした技術が開示されている（たとえば特許文献２参照）。
【特許文献１】特開平１１−３９４３８号公報
【特許文献２】特開２００２−１４４９８６号公報
【発明の開示】
【発明が解決しようとする課題】
【０００６】
上述のように、レンタルビデオ店まで、車を運転して音楽ＣＤ等を返却しに行く場合、レンタルビデオ店に到着したとき、うっかりして、その音楽ＣＤ等を車のディスク再生装置に装着したまま、車を降りて、返却のために店内に向かってしまうことがあるので、これを防止することができれば、好都合である。
【０００７】
そこで、本発明の目的は、車載用の記録媒体再生装置において、車両がレンタルビデオ店に到着したとき、返却すべき音楽ＣＤ等を装置に装着したまま、店内に向かうのを極力防止することができる技術を提供することにある。
【課題を解決するための手段】
【０００８】
上記目的を達成するため、第１の発明に係る車両搭載用の記録媒体再生装置は、車両が所定の停車又は駐車状態にあることを検出する手段と、所定の種類の記録媒体に記録されている情報を再生する手段と、前記のような記録媒体のレンタルを業務とする業者の登録されている店舗に対し車両が所定の近傍位置に位置するか否かを判定する手段と、車両が前記停車又は駐車状態にあり、かつ前記近傍位置に位置しているとき、前記再生手段における記録媒体に関連した所定の動作を行う手段とを具備することを特徴とする。
【０００９】
第２の発明に係るプログラムは、車両が所定の停車又は駐車状態にあることを検出する手段の出力に基づき、車両が該停車又は駐車状態にあるか否かを判定する手段、車両に搭載された所定の種類の記録媒体に記録されている情報の再生手段を制御する手段、前記のような記録媒体のレンタルを業務とする業者の登録されている店舗に対し車両が所定の近傍位置に位置するか否かを、車両の現在位置を取得する手段の出力、及び所定の登録情報に基づいて判定する手段、及び、車両が前記停車又は駐車状態にあり、かつ前記近傍位置に位置していると判定したとき、前記再生手段における記録媒体に関連した所定の出力を行う手段として、車両に搭載されたコンピュータを機能させることを特徴とする。
【００１０】
第３の発明に係る記録媒体再生方法は、車両が所定の停車又は駐車状態にあることを検出する手段が該検出を行う工程と、車両に搭載されている所定の記録媒体に記録されている情報の再生手段を制御する工程と、前記のような記録媒体のレンタルを業務とする登録されている店舗に対し車両が所定の近傍位置に位置するか否かを判定する手段が該判定を行う工程と、車両が前記停車又は駐車状態にあり、かつ前記近傍位置に位置しているとき、前記再生手段における記録媒体に関連した所定の動作を行う手段が該動作を行う工程とを具備することを特徴とする。
【００１１】
これらの発明において、車両としては、たとえば四輪自動車やオートバイが該当する。所定の停車又は駐車状態としては、たとえば、車両の速度がゼロの状態、イグニッションスイッチがオフ又はＡＣＣオフ位置にある状態、パーキングブレーキが有効に作用している状態、及びシフトレバーがパーキング位置にある状態のうちのいずれか１つ又はこれらを任意に組み合わせた状態が該当する。再生手段としては、たとえば、カーナビゲーションシステムに付随して設けられたＣＤプレーやＤＶＤプレーヤが該当する。店舗としてはたとえばレンタルビデオ店の店舗が該当する。記録媒体としては、たとえばＣＤ、ＭＤ、ＤＶＤ、カセットテープが該当する。所定の近傍位置としては、たとえば、店舗から５０[ｍ]又は１００[ｍ]以内の距離の位置が該当する。登録されている店舗としては、たとえばカーナビゲーションシステムや該システムがアクセス可能なインターネット上のデータベースに登録されているものが該当する。
【００１２】
この構成において、借りていた記録媒体を返却するために、ユーザが車両を運転してレンタル業者の店舗に到達し、車両を停車させると、車両は所定の停車状態になり、レンタル業者の店舗から所定の近傍位置に位置することになる。そうすると、再生手段における記録媒体に関連した所定の動作、たとえば記録媒体のイジェクト動作が行われることになる。したがって、返却すべき記録媒体が再生手段内に保持されている場合には、該所定の動作により、ユーザがそのことに気が付く可能性が高くなる。したがって、ユーザが返却すべき記録媒体を再生手段内に置き忘れたまま、返却のために店舗に向かうという不都合を極力回避することができる。
【００１３】
第４の発明は、第１〜第３のいずれかの発明において、前記所定の停車又は駐車状態は車両の速度がゼロの状態であることを特徴とする。
【００１４】
第５の発明は、第１〜第４のいずれかの発明において、前記所定の停車又は駐車状態は、イグニッションスイッチがＡＣＣオフ位置にある状態であることを特徴とする。
【００１５】
第６の発明は、第１〜第５のいずれかの発明において、前記所定の停車又は駐車状態は、パーキングブレーキが有効に作用している状態であることを特徴とする。
【００１６】
第７の発明は、第１〜第６のいずれかの発明において、前記所定の停車又は駐車状態は、シフトレバーがパーキング位置にある状態であることを特徴とする。
【００１７】
第８の発明は、第１〜第７のいずれかの発明において、前記所定の動作又は所定の出力は、装置が前記記録媒体を保持している場合にのみ行うことを特徴とする。
【００１８】
第９の発明は、第１又は第３〜第８のいずれかの発明において、前記所定の動作又は所定の出力は、装置によって保持されている記録媒体をイジェクトする動作、又は再生手段が保持している記録媒体をイジェクトさせることを要求する再生手段に対する指令であることを特徴とする。
【００１９】
第１０の発明は、第１又は第３〜第９のいずれかの発明において、前記所定の動作又は所定の出力は、装置によって保持されている記録媒体が存在する旨又は存在しない旨を音声又は表示により知らせる動作又は出力であることを特徴とする。
【００２０】
第１１の発明は、第１〜第１０のいずれかの発明において、前記店舗に関するその所在位置を含む情報を登録する手段又は工程を有し、あるいは該手段としてコンピュータを機能させることを特徴とする。
【発明の効果】
【００２１】
本発明によれば、ユーザが車両に乗って、借りていた記録媒体をレンタル業者に返却しに行く場合に、レンタル業者の店舗に到達したとき、返却すべき記録媒体を再生手段内に置き忘れたまま降車し、レンタル業者の店舗に向かうという不都合を極力回避することができる。
【発明を実施するための最良の形態】
【００２２】
図１は本発明の一実施形態に係るカーナビゲーションシステムの構成を示すブロック図である。このシステムは、ＧＰＳ信号を受信するためのＧＰＳ受信機１、車速を検出するための車速センサ２、車両の進行方向を検出するためのジャイロセンサ３、ルート案内や操作入力において、ユーザ・インタフェースとしての機能を果たす表示部４、ルート案内等のための音声出力を行う音声出力部５、ユーザがシステムへの入力操作を行うための入力操作部６、システムの動作に必要な情報を記憶するメモリ７、車両が停止したことを検出する車両停止検出部８、イグニッションスイッチがＡＣＣオフ位置にあることを検出するＡＣＣオフ検出部９、ＣＤやＤＶＤに記録されている音楽や映像の再生を行うディスク再生部１０、及び、装置各部からの情報に基づいて各部を制御する制御部１１を備える。
【００２３】
メモリ７は、ハードディスク、ＲＡＭ、ＲＯＭ、ＣＤドライブ、ＤＶＤドライブ等を用いて構成することができ、ナビゲーションに必要な地図データ、プログラム、駐車場やレンタルビデオ店に関する情報等を格納するために用いられる。レンタルビデオ店に関する情報には、少なくとも各レンタルビデオ店の位置を示す緯度及び経度の情報が含まれている。ディスク再生部１０は、ＣＤ又はＤＶＤを、再生位置から排出するイジェクト機構を備えている。
【００２４】
速度センサ２は、車速パルスに基づいて車速を検出する。車両停止検出部８は車速パルスに基づき、車両が停止したことを検出すると、その旨を示す車両停止信号を出力する。ＡＣＣオフ検出部９は、イグニッションスイッチがＡＣＣオフ状態になると、ＡＣＣオフ信号を出力する。
【００２５】
制御部１１は、現在位置や目的地等の指定された２地点及び地図データに基づき、各地点間の最短経路等を求め、求められた経路及びＧＰＳ信号により得られる現在位置に基づいて、現在位置周辺の地図、経路等を表示部４上で表示しながら、ルート案内を行う。その際、トンネルの内部を走行中である場合のようにＧＰＳ信号が受信できない場合には、車速センサ２及びジャイロセンサ３により得られる車速及び進行方向に基づく自律航法により、ルート案内を補助することができる。
【００２６】
図２は制御部１１における処理の一部を示すフローチャートである。この処理においては、制御部１１は、車両の走行中に、まず、ステップ２１において、車両停止検出部８からの車両停止信号の有無を監視する。この状態において車両が停止されると、車両停止検出部８は車両停止信号を制御部１１に対して出力することになる。
【００２７】
車両停止信号を受け取ると、制御部１１は、次に、ステップ２２において、ＡＣＣオフ検出部９からのＡＣＣオフ信号の有無を監視する。車両の停止後、イグニッションキーがイグニッションオン位置から、ＡＣＣオン位置に回され、さらにＡＣＣオフ位置にまで回されると、ＡＣＣオフ検出手段９はＡＣＣオフ信号を制御部１１に対して出力することになる。
【００２８】
ＡＣＣオフ信号を受け取ると、制御部１１は、次に、ステップ２３において、メモリ７に登録されているいずれかのレンタルビデオ店から所定の距離以内、たとえば５０[ｍ]又は１００[ｍ]以内に車両が位置しているか否かを判定する。
【００２９】
この判定は、ＧＰＳ信号により得られる車両の現在位置及びメモリ７に登録されている各レンタルビデオ店の位置情報に基づいて行うことができる。いずれのレンタルビデオ店の所定距離以内にも車両が位置していないと判定した場合は、直ちにステップ２５においてシステムの電源を遮断し、図２の処理を終了する。
【００３０】
ステップ２３において、いずれかのレンタルビデオ店の所定距離内に車両が位置していると判定した場合には、ステップ２４において、ディスク再生部１０に対し、ディスクをイジェクトするように指示する。これに応じ、ディスク再生部１０は、ディスクが挿入されている場合にはそのディスクをイジェクトする。なお、ディスクが挿入されていない場合には、ディスク再生部１０は、単にイジェクト機構を空回りさせるか、又は何も動作を行わない。
【００３１】
挿入されているディスクがイジェクトされると、レンタルビデオ店にディスクを返却するために車両に乗ってやって来たユーザは、うっかりして、返却すべきディスクをディスク再生部１０に挿入したままにしていた場合には、そのことに気が付くので、そのディスクを取り出して所持し、レンタルビデオ店に向かうことができる。イジェクトされたディスクが返却すべきディスクでない場合には、ユーザは、それを契機に、返却すべきディスクを確かに所持していることを確認することができる。
【００３２】
その後、ディスク再生部１０におけるイジェクト動作が完了したら、制御部１１は、ステップ２５において、システムの電源を遮断し、図２の処理を終了する。この場合、制御部１１は、ＡＣＣオフ信号を受信してから、イジェクト動作が完了するまで、システムの電源の遮断を保留することになる。
【００３３】
本実施形態によれば、ユーザがディスクをレンタルビデオ店に返却するために、車両を運転してレンタルビデオ店の近傍に車両を停車させ、降車しようとするとき、ディスク再生部１０に装着されているディスクが自動的に排出されることになる。このため、ユーザは、返却すべきディスクを聴取しながらレンタルビデオ店に到達した場合でも、排出されるディスクに目が行き、注意が促されることになる。したがって、ユーザが、返却すべきディスクをディスク再生部１０内に置き忘れたまま降車し、レンタルビデオ店へ向かうという事態を極力防止することができる。
【００３４】
図３は本発明の別の実施形態に係るカーナビゲーションシステムの構成を示すブロック図である。図１の形態と異なるのは、車両停止検出部８の代わりに、パーキング検出部３１を設けた点にある。パーキング検出部３１は、パーキングブレーキが有効に働いている場合にその旨を示すパーキング信号を出力するものである。シフトレバーがパーキング位置にある場合にパーキング信号を出力するものであってもよい。
【００３５】
この場合、図２の処理におけるステップ２１では、制御部１１は、車両停止検出部８からの車両停止信号の代わりに、パーキング検出部３１からのパーキング信号を監視し、パーキング検出部３１からパーキング信号を受け取った場合に、ステップ２２の処理へ進むことになる。他の点については図１及び図２の形態の場合と同様である。これによっても上述実施形態の場合と同様に、返却すべきディスクをディスク再生部１０内に置き忘れるという事態を極力防止することができる。
【００３６】
なお、本発明は上述の実施形態に限定されることなく、適宜変形して実施することができる。たとえば、上述においては、ステップ２４では、ディスクをイジェクトするようにしているが、この代わりに、あるいはこれに加え、たとえば、「装置内にディスクがあります」といった内容の音声により注意を喚起したり、点滅表示を行ったりするようにしてもよい。また、システム内にディスクが無い場合にも、確認の意味で、「装置内にはディスクはありません」といった内容の出力を行うようにしてもよい。
【００３７】
また、上述においては、ディスク再生部１０がＣＤやＤＶＤについて再生を行うものである場合について述べたが、ディスク再生部１０が他のディスク、たとえばＭＤについて再生を行うものである場合、さらには、ディスク再生部１０の代わりに、カセットテープ等他の媒体を再生する機能を設けた場合についても、そのような媒体の装置内への置き忘れを防止するために、本発明を適用することができる。
【００３８】
また、上述においては、ステップ２３における判定に際し、システムに登録されている各レンタルビデオ店に関する情報を用いるようにしているが、さらに、そのようなレンタルビデオ店に関する情報の登録や、削除、修正を、ユーザが任意に行うための手段を設けたり、そのようなレンタルビデオ店に関する登録情報を、インターネットを通じて取得するようにしたりしてもよい。
【図面の簡単な説明】
【００３９】
【図１】本発明の一実施形態に係るカーナビゲーションシステムの構成を示すブロック図である。
【図２】図１のシステムの制御部における処理の一部を示すフローチャートである。
【図３】本発明の別の実施形態に係るカーナビゲーションシステムの構成を示すブロック図である。
【符号の説明】
【００４０】
１：ＧＰＳ受信機、２：速度センサ、３：ジャイロセンサ、４：表示部、５：音声出力部、６：入力操作部、７：メモリ、８：車両停止検出部、９：ＡＣＣオフ検出部、１０：ディスク再生装置、１１：制御部、３１：パーキング検出部。
【図１】
2006168557.tif 000003
【図２】
2006168557.tif 000004
【図３】
2006168557.tif 000005